【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
主走査方向に配列した光電変換素子と、前記光電変換素子の受光面上に原稿面上の画像情報を結像するための結像光学系と、を有する画像読取装置であって、
前記結像光学系は、入射面及び出射面の両面がアナモフィック面よりなる少なくとも１つのアナモフィックレンズを有し、
前記結像光学系の光軸と前記主走査方向を含んだ主走査断面内における前記アナモフィック面の断面形状を母線とするとき、
前記アナモフィック面は、主走査断面と垂直で且つ任意の母線方向の位置における前記アナモフィック面の法線を含む面内にて定義される子線の曲率が光軸から母線方向に沿って離れるに従って連続的に変化しており、
Ｎ:前記アナモフィックレンズの材料の屈折率
ｒin：前記アナモフィックレンズの入射面への主光線の通過位置における子線の曲率半径
ｒout：前記アナモフィックレンズの出射面への主光線の通過位置における主走査断面と垂直方向の子線の曲率半径
ｄ：前記アナモフィックレンズの入射面と出射面の間の主光線が通過する位置での光軸方向の距離
ω：前記結像光学系の最大半画角
とし、
定数Ａ、Ｂを
【数１】
2008065234.tif 000001
とおき、Ａon、Ｂonを定数Ａ、Ｂにおける軸上光束の主光線に関する値とし、Ａoff、Ｂoffを定数Ａ、Ｂにおける最軸外光束の主光線に関する値とするとき、
【数２】
2008065234.tif 000002
なる条件を満足することを特徴とする画像読取装置。
【請求項２】
Amidを定数Ａにおける最軸外光線に対する７割画角光束の主光線に関する値とするとき、
【数３】
2008065234.tif 000003
なる条件を満足することを特徴とする請求項１に記載の画像読取装置。
【請求項３】
Rin：前記アナモフィックレンズの入射面への主光線の通過位置における母線の曲率半径
Rout：アナモフィックレンズの出射面への主光線の通過位置における母線の曲率半径とし、定数Ｃを
【数４】
2008065234.tif 000004
とおき、Con、Cmid、Coffをそれぞれ、軸上光束、7割画角光束、最軸外光束の主光線に関する値とするとき、
【数５】
2008065234.tif 000005
なる条件を満足することを特徴とする請求項１又は２に記載の画像読取装置。
【請求項４】
前記結像光学系は、前記光軸上において、母線の曲率と子線の曲率が等しいことを特徴とする請求項１乃至３の何れか１項に記載の画像読取装置。
【請求項５】
前記結像光学系は、前記原稿面から順に、入射面が凸面でメニスカス形状の正の屈折力の第１レンズ、絞り、両レンズ面が凹形状の第２レンズ、両レンズ面が凸形状の第３レンズ、出射面が凸面でメニスカス形状の第４レンズを有し、
前記第４レンズはアナモフィックレンズであることを特徴とする請求項１乃至４の何れか１項に記載の画像読取装置。
【請求項６】
前記結像光学系の開口効率は、全画角において９５％以上であることを特徴とする請求項１乃至５の何れか１項に記載の画像読取装置。
【手続補正２】
【補正対象書類名】明細書
【補正対象項目名】発明の名称
【補正方法】変更
【補正の内容】
【発明の名称】画像読取装置
【手続補正３】
【補正対象書類名】明細書
【補正対象項目名】００１６
【補正方法】変更
【補正の内容】
【００１６】
本発明は像面湾曲収差と副走査方向の倍率ズレの双方を低減することができる画像読取装置の提供を目的とする。
【手続補正４】
【補正対象書類名】明細書
【補正対象項目名】００１７
【補正方法】変更
【補正の内容】
【００１７】
請求項１の発明の画像読取装置は、
主走査方向に配列した光電変換素子と、前記光電変換素子の受光面上に原稿面上の画像情報を結像するための結像光学系と、を有する画像読取装置であって、
前記結像光学系は、入射面及び出射面の両面がアナモフィック面よりなる少なくとも１つのアナモフィックレンズを有し、
前記結像光学系の光軸と前記主走査方向を含んだ主走査断面内における前記アナモフィック面の断面形状を母線とするとき、
前記アナモフィック面は、主走査断面と垂直で且つ任意の母線方向の位置における前記アナモフィック面の法線を含む面内にて定義される子線の曲率が光軸から母線方向に沿って離れるに従って連続的に変化しており、
Ｎ:前記アナモフィックレンズの材料の屈折率
ｒin：前記アナモフィックレンズの入射面への主光線の通過位置における子線の曲率半径
ｒout：前記アナモフィックレンズの出射面への主光線の通過位置における主走査断面と垂直方向の子線の曲率半径
ｄ：前記アナモフィックレンズの入射面と出射面の間の主光線が通過する位置での光軸方向の距離
ω：前記結像光学系の最大半画角
とし、
定数Ａ、Ｂを
【数６】
2008065234.tif 000006
とおき、Ａon、Ｂonを定数Ａ、Ｂにおける軸上光束の主光線に関する値とし、Ａoff、Ｂoffを定数Ａ、Ｂにおける最軸外光束の主光線に関する値とするとき、
【数７】
2008065234.tif 000007
なる条件を満足することを特徴としている。
【手続補正５】
【補正対象書類名】明細書
【補正対象項目名】００１８
【補正方法】変更
【補正の内容】
【００１８】
請求項２の発明は請求項１の発明において、
Amidを定数Ａにおける最軸外光線に対する７割画角光束の主光線に関する値とするとき、
【数８】
2008065234.tif 000008
なる条件を満足することを特徴としている。
【手続補正６】
【補正対象書類名】明細書
【補正対象項目名】００１９
【補正方法】変更
【補正の内容】
【００１９】
請求項３の発明は請求項１又は２の発明において、
Rin：前記アナモフィックレンズの入射面への主光線の通過位置における母線の曲率半径
Rout：アナモフィックレンズの出射面への主光線の通過位置における母線の曲率半径とし、定数Ｃを
【数９】
2008065234.tif 000009
とおき、Con、Cmid、Coffをそれぞれ、軸上光束、7割画角光束、最軸外光束の主光線に関する値とするとき、
【数１０】
2008065234.tif 000010
なる条件を満足することを特徴としている。
【手続補正７】
【補正対象書類名】明細書
【補正対象項目名】００２０
【補正方法】変更
【補正の内容】
【００２０】
請求項４の発明は請求項１乃至３の何れか１項の発明において、
前記結像光学系は、前記光軸上において、母線の曲率と子線の曲率が等しいことを特徴としている。
【手続補正８】
【補正対象書類名】明細書
【補正対象項目名】００２１
【補正方法】変更
【補正の内容】
【００２１】
請求項５の発明は請求項１乃至４の何れか１項の発明において、
前記結像光学系は、前記原稿面から順に、入射面が凸面でメニスカス形状の正の屈折力の第１レンズ、絞り、両レンズ面が凹形状の第２レンズ、両レンズ面が凸形状の第３レンズ、出射面が凸面でメニスカス形状の第４レンズを有し、
前記第４レンズはアナモフィックレンズであることを特徴としている。
【手続補正９】
【補正対象書類名】明細書
【補正対象項目名】００２２
【補正方法】変更
【補正の内容】
【００２２】
請求項６の発明は請求項１乃至５の何れか１項の発明において、
前記結像光学系の開口効率は、全画角において９５％以上であることを特徴としている。
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】変更
【補正の内容】
【００２８】
本発明によれば像面湾曲収差と副走査方向の倍率ズレの双方を低減することができる画像読取装置を達成することができる。
【手続補正１６】
【補正対象書類名】明細書
【補正対象項目名】００３６
【補正方法】変更
【補正の内容】
【００３６】
第４レンズＧ４は光入出面（第１、第２面）（入射面、出射面）がアナモフィック面より成っている。ここで図７に示すように回転対称面から成る第１レンズＧ１から第３レンズＧ３までで定まる光軸Ｌａ（ｘ方向）と光電変換素子Ｑの画素の配列方向(主走査方向)を含んだ主走査断面内(ｘｙ断面内)における断面形状を母線とする。
【手続補正１７】
【補正対象書類名】明細書
【補正対象項目名】００５９
【補正方法】変更
【補正の内容】
【００５９】
ここで
Ｎ:前記アナモフィックレンズの材料の屈折率
ｒin：アナモフィックレンズの第１面への主光線の通過位置における主走査断面と垂直方向の曲率半径
ｒout：アナモフィックレンズの第２面への主光線の通過位置における主走査断面と垂直方向の曲率半径
ｄ：アナモフィックレンズの第１面と第２面間の主光線が通過する位置での光軸方向の距離
ω：画像読取用レンズの最大半画角
とする。